(57)【要約】一実施形態においては、モバイル通信システムにおいてマシン・タイプ通信ＭＴＣデバイスのオペレーションを管理するための一方法が、提供されており、前記方法は、モバイル通信ネットワークからのＭＴＣデバイスの取り外しのうちに前記管理を実行するステップを備える。
2013530596.tif 000002
【特許請求の範囲】
【請求項１】
モバイル通信システムにおいてマシン・タイプ通信ＭＴＣデバイスのオペレーションを管理する方法であって、
モバイル通信ネットワークからの前記ＭＴＣデバイスの取り外しのうちに前記管理を実行するステップを備える、方法。
【請求項２】
ＭＴＣデバイスとの通信が完了していることを決定するとすぐに、Ｍ２Ｍアプリケーション・サーバが、ネットワークからの取り外しを行うように前記ＭＴＣデバイスに要求するステップを備える、請求項１に記載の方法。
【請求項３】
ＭＴＣデバイスとの通信が完了していることを決定するとすぐに、Ｍ２Ｍアプリケーション・サーバが、一方で前記Ｍ２Ｍアプリケーション・サーバとインターフェースし他方で取り外しプロシージャを担当するネットワーク・エンティティとインターフェースするＭ２Ｍ制御装置に対して、取り外し要求を送信するステップを備える、請求項１または２に記載の方法。
【請求項４】
ＭＴＣアプリケーション・サーバから取り外し要求を受信するとすぐに、一方で前記ＭＴＣアプリケーション・サーバとインターフェースし他方で取り外しプロシージャを担当するネットワーク・エンティティとインターフェースするＭ２Ｍ制御装置が、取り外しプロシージャを担当する前記ネットワーク・エンティティに対して前記要求を転送するステップを備える、請求項１乃至３のいずれか１項に記載の方法。
【請求項５】
一方で前記ＭＴＣアプリケーション・サーバとインターフェースし他方で取り外しプロシージャを担当するネットワーク・エンティティとインターフェースするＭ２Ｍ制御装置から取り外し要求を受信するとすぐに、取り外しプロシージャを担当する前記ネットワーク・エンティティが、前記ＭＴＣデバイスに対して取り外し要求を送信するステップを備える、請求項１乃至４のいずれか１項に記載の方法。
【請求項６】
前記取り外し要求は、パワー・ダウン要求を含む、請求項２乃至５のいずれか１項に記載の方法。
【請求項７】
前記取り外し要求は、Ｍ２Ｍサービスにアクセスすべき次の時間、または「許可時間間隔」を含む、請求項２乃至６のいずれか１項に記載の方法。
【請求項８】
パワー・ダウン要求を含む取り外し要求の、ＭＴＣデバイスによる受信のすぐ後に、前記ＭＴＣデバイスが、次のパワー・オン時刻までパワー・ダウンするステップを備える、請求項２乃至７のいずれか１項に記載の方法。
【請求項９】
Ｍ２Ｍアプリケーション・サーバとの通信が完了していることを決定するとすぐに、ＭＴＣデバイスが、ネットワークからの取り外しを行うように要求するステップを備える、請求項１に記載の方法。
【請求項１０】
Ｍ２Ｍアプリケーション・サーバとの通信が完了していることを決定するとすぐに、ＭＴＣデバイスが、取り外しプロシージャを担当するネットワーク・エンティティに対して取り外し要求を送信するステップを備える、請求項９に記載の方法。
【請求項１１】
ＭＴＣデバイスからの取り外し要求の受信のすぐ後に、取り外しプロシージャを担当するネットワーク・エンティティが、一方でＭ２Ｍアプリケーション・サーバとインターフェースし他方で取り外しプロシージャを担当する前記ネットワーク・エンティティとインターフェースするＭ２Ｍ制御装置に対して、前記要求を転送するステップを備える、請求項９または１０に記載の方法。
【請求項１２】
取り外しプロシージャを担当するネットワーク・エンティティからの取り外し要求の受信のすぐ後に、一方でＭ２Ｍアプリケーション・サーバとインターフェースし他方で取り外しプロシージャを担当する前記ネットワーク・エンティティとインターフェースするＭ２Ｍ制御装置が、前記Ｍ２Ｍアプリケーション・サーバに対して前記要求を転送するステップを備える、請求項９乃至１１のいずれか１項に記載の方法。
【請求項１３】
前記取り外し要求は、パワー・ダウン要求を含む、請求項９乃至１２のいずれか１項に記載の方法。
【請求項１４】
前記取り外し要求は、Ｍ２Ｍサービスにアクセスすべき次の時間、または「許可時間間隔」を含む、請求項９乃至１３のいずれか１項に記載の方法。
【請求項１５】
取り外し要求の、Ｍ２Ｍアプリケーション・サーバによる受信のすぐ後に、前記Ｍ２Ｍアプリケーション・サーバが、取り外し承諾を送信するステップを備える、請求項９乃至１４のいずれか１項に記載の方法。
【請求項１６】
ＭＴＣアプリケーション・サーバから取り外し承諾を受信するとすぐに、一方で前記ＭＴＣアプリケーション・サーバとインターフェースし他方で取り外しプロシージャを担当するネットワーク・エンティティとインターフェースするＭ２Ｍ制御装置が、取り外しプロシージャを担当する前記ネットワーク・エンティティに対して前記取り外し承諾を転送するステップを備える、請求項９乃至１５のいずれか１項に記載の方法。
【請求項１７】
一方でＭＴＣアプリケーション・サーバとインターフェースし他方で取り外しプロシージャを担当するネットワーク・エンティティとインターフェースするＭ２Ｍ制御装置から取り外し承諾を受信するとすぐに、取り外しプロシージャを担当する前記ネットワーク・エンティティが、前記ＭＴＣデバイスに対して取り外し承諾を送信するステップを備える、請求項９乃至１６のいずれか１項に記載の方法。
【請求項１８】
前記取り外し承諾は、パワー・ダウン要求を含む、請求項１５乃至１７のいずれか１項に記載の方法。
【請求項１９】
前記取り外し承諾は、Ｍ２Ｍサービスにアクセスすべき次の時間、または「許可時間間隔」を含む、請求項１５乃至１８のいずれか１項に記載の方法。
【請求項２０】
Ｍ２Ｍデバイスが、ＭＴＣの時間制御された機能を有することを決定するとすぐに、取り外しプロシージャを担当するネットワーク・エンティティが、前記ＭＴＣデバイスの許可時間間隔の終わりにネットワークからの取り外しを行うように前記Ｍ２Ｍデバイスに要求するステップを備える、請求項１に記載の方法。
【請求項２１】
取り外しプロシージャを担当する前記ネットワーク・エンティティが、前記ＭＴＣデバイスに対してパワー・ダウン要求を含む取り外し要求を送信するステップを備える、請求項２０に記載の方法。
【請求項２２】
取り外しプロシージャを担当する前記ネットワーク・エンティティが、前記ＭＴＣデバイスに対して、Ｍ２Ｍサービスにアクセスすべき次の時間または「許可時間間隔」を含む取り外し要求を送信するステップを備える、請求項２０または２１に記載の方法。
【請求項２３】
ＭＴＣデバイスの許可時間間隔の終わりに、取り外しプロシージャを担当するネットワーク・エンティティが、前記ＭＴＣデバイスに対してパワー・ダウン・コマンドを含む取り外し命令を送信するステップを備える、請求項１に記載の方法。
【請求項２４】
前記ＭＴＣデバイスの許可時間間隔の終わりに、取り外しプロシージャを担当するネットワーク・エンティティが、前記ＭＴＣデバイスに対して、許可時間間隔または変更された許可時間間隔を含む取り外し命令を送信するステップを備える、請求項１または２３に記載の方法。
【請求項２５】
ＭＴＣユーザが、前記ＭＴＣデバイスの許可時間間隔の終わりに先立って前記ＭＴＣデバイスとの通信を完了している場合、前記ＭＴＣユーザが、ネットワークからの取り外しを行うように前記ＭＴＣデバイスに命令するようにネットワークに要求するステップを備える、請求項１に記載の方法。
【請求項２６】
前記要求が、パワー・ダウン・コマンドを含むステップを備える、請求項２５に記載の方法。
【請求項２７】
前記要求が、許可時間間隔、または変更された許可時間間隔を含むステップを備える、請求項２５または２６に記載の方法。
【請求項２８】
前記ＭＴＣデバイスが、前記ＭＴＣデバイスの許可時間間隔の終わりに先立ってＭＴＣユーザとの通信を完了しており、またパワー・ダウンすることを望む場合、前記ＭＴＣデバイスが、ネットワークから前記ＭＴＣデバイスを取り外すようにネットワークに要求するステップを備える、請求項１に記載の方法。
【請求項２９】
前記ＭＴＣデバイスに対して、許可時間間隔または変更された許可時間間隔を含む取り外し応答を送信するステップを備える、請求項２８に記載の方法。
【請求項３０】
請求項１乃至２９のいずれか１項に記載の方法を実行するように構成された、ＭＴＣのために装備されたＭＴＣデバイスまたはユーザ装置。
【請求項３１】
請求項１乃至２９のいずれか１項に記載の方法を実行するように構成された、Ｍ２Ｍアプリケーション・サーバ。
【請求項３２】
請求項１乃至２９のいずれか１項に記載の方法を実行するように構成された、取り外しプロシージャを担当するネットワーク・エンティティ。
【請求項３３】
請求項１乃至２９のいずれか１項に記載の方法を実行するように構成された、一方でＭＴＣアプリケーション・サーバとインターフェースし他方で取り外しプロシージャを担当するネットワーク・エンティティとインターフェースするＭ２Ｍ制御装置。
【発明の詳細な説明】
【技術分野】
【０００１】
本発明は、一般にモバイル通信ネットワークおよびモバイル通信システムに関する。
【背景技術】
【０００２】
モバイル通信ネットワークとモバイル通信システムとの詳細な説明は、とりわけ、例えば、３ＧＰＰ（第３世代パートナーシップ・プロジェクト）などの標準化機構によって発行される技術仕様の中でなど、文献の中で見出されることが可能である。
【０００３】
そのようなシステムにおいては、モバイル端末またはユーザ装置（Ｕｓｅｒ  Ｅｑｕｉｐｍｅｎｔ：ＵＥ）は、無線アクセス・ネットワーク（Ｒａｄｉｏ  Ａｃｃｅｓｓ  Ｎｅｔｗｏｒｋ：ＲＡＮ）とコア・ネットワーク（Ｃｏｒｅ  Ｎｅｔｗｏｒｋ：ＣＮ）とを備えるアクセス・ネットワーク（パケット−ベースのアクセス・ネットワークなど）を経由してモバイル・サービス（ＩＰ−ベースのモバイル・サービスなど）にアクセスすることができる。
【０００４】
３ＧＰＰ−ベースのモバイル通信システムの例は、２Ｇ  ＧＳＭ／ＧＰＲＳと、３Ｇ  ＵＭＴＳと、ＥＰＳ（進化型パケット・システム（Ｅｖｏｌｖｅｄ  Ｐａｃｋｅｔ  Ｓｙｓｔｅｍ））としても知られている３Ｇ  ＬＴＥとを含んでいる。無線アクセス・ネットワーク（ＲＡＮ）の例は、ＧＥＲＡＮ（２Ｇ  ＧＳＭ／ＧＰＲＳのための）と、ＵＴＲＡＮ（３Ｇ  ＵＭＴＳのための）と、Ｅ−ＵＴＲＡＮ（３Ｇ  ＬＴＥのための）とを含んでいる。パケット・コア・ネットワークの例は、ＧＰＲＳ（２Ｇまたは３Ｇのための）と、進化型パケット・コアＥＰＣ（２Ｇ、３ＧのＵＴＲＡＮおよび３Ｇ  ＬＴＥのための）とを含んでいる。例えば、ＥＰＳなどのモバイル通信システムは、３ＧＰＰ  ＴＳ２３．４０１から取られた図１の中に示されている。
【０００５】
本発明の実施形態は、より詳細には、例えば、３ＧＰＰなどの標準化機構によって現在指定されるような、マシン・タイプ通信（Ｍａｃｈｉｎｅ  Ｔｙｐｅ  Ｃｏｍｍｕｎｉｃａｔｉｏｎ）（ＭＴＣ）と呼ばれることもあるマシン・ツー・マシン（Ｍ２Ｍ）通信のモバイル通信システムへの導入に関する。以下においては、Ｍ２ＭとＭＴＣという用語は、差別せずに使用されるであろう。ＭＴＣのモバイル・ネットワークへの導入の一例は、３ＧＰＰ  ＴＳ２２．３６８から取られた図２において示されている。ＭＴＣデバイスと呼ばれることもあるマシン・タイプ通信のために装備されたＵＥは、モバイル・ネットワーク（オペレータ・ドメイン）を通して、ＭＴＣサーバ（単数もしくは複数）および／または他のＭＴＣデバイス（単数もしくは複数）と通信する。ＭＴＣサーバは、ＭＴＣユーザのためのサービスを実行する。
【０００６】
モバイル通信システムは、伝統的に、人との通信のために設計されており、それゆえに、それらのモバイル通信システムは、必ずしも人の対話を必要とするとは限らないマシン・タイプ通信（ＭＴＣ）のために最適化されてはいない。
【先行技術文献】
【非特許文献】
【０００７】
【非特許文献１】３ＧＰＰ  ＴＳ２３．４０１
【非特許文献２】３ＧＰＰ  ＴＳ２２．３６８
【発明の概要】
【発明が解決しようとする課題】
【０００８】
マシン・タイプ通信のためにモバイル通信システムを最適化する必要性がある。
【課題を解決するための手段】
【０００９】
これらの目的、および他の目的は、一態様においては、一実施形態において、モバイル通信システムにおいてマシン・タイプ通信ＭＴＣデバイスのオペレーションを管理するための一方法によって達成されており、前記方法は、モバイル通信ネットワークからのＭＴＣデバイスの取り外しのうちに、前記管理を実行するステップを備えている。
【００１０】
これらの目的、および他の目的は、他の態様においては、そのような方法を実行するためのエンティティによって達成される。そのようなエンティティは、とりわけ、ＭＴＣデバイス（またはＭＴＣのために装備されたユーザ装置ＵＥ）と、Ｍ２Ｍアプリケーション・サーバと、取り外しプロシージャを担当するネットワーク・エンティティと、一方ではＭ２Ｍアプリケーション・サーバとインターフェースし他方では取り外しプロシージャを担当するネットワーク・エンティティとインターフェースするＭ２Ｍ制御装置とを含むことができる。
【００１１】
本発明の実施形態に従う装置および／または方法のいくつかの実施形態が、次に、単なる例だけとして、また添付図面を参照して説明される。
【図面の簡単な説明】
【００１２】
【図１】例えば、ＥＰＳなどのモバイル通信システムを示すように意図された図である。
【図２】モバイル・ネットワークへのＭＴＣの導入を示すように意図された図である。
【図３】本発明の実施形態による、ＭＴＣデバイスのオペレーションを管理することを示すように意図された図である。
【図４】本発明の実施形態による、ＭＴＣデバイスのオペレーションを管理することを示すように意図された図である。
【発明を実施するための形態】
【００１３】
マシン・ツー・マシン（Ｍ２Ｍ）タイプのアプリケーションのモバイル・システムへの導入とともに、ずっと多数の端末（ここではＭ２Ｍユーザ装置またはＭ２Ｍ  ＵＥと称される）をサポートすべき要件が存在することになることが期待される。これらのＭ２Ｍアプリケーションの多くは、Ｍ２Ｍアプリケーション情報をアップロードするために、またはダウンロードするために、ネットワーク・アクセスをあまり頻繁に必要としない多数のデバイスをサポートするようにネットワークに要求することになる。伝統的なモバイル・デバイスとは違って、ネットワークは、多数のデバイスをサポートする必要があるが、それらのデバイスは、必ずしも常にアクセス可能である必要はない。ネットワークは、この新しいタイプの使用をサポートするネットワーク・リソースを最適化する必要がある。
【００１４】
さらに、多数のＭ２Ｍ端末は、バッテリの交換／再充電なしに長い時間にわたって動作し続ける必要があるバッテリの上で動作することになる。電力線接続を提供することが経済的でない、または実現可能でないロケーションに位置する端末が、バッテリを最小限にするために必要とされる。
【００１５】
多数のデバイスをサポートする要件は、何らかの方策が、Ｍ２Ｍタイプのデバイスのオペレーションをアクティブにするために、また非アクティブにするために（すなわち、ＵＥが、ネットワークに取り付けられ、または電源投入されるときに）とられない限り、制御プレーン・ノードと、ユーザ・プレーン・ノードとの両方が、必要とされたリソースについての線形的な増大に見舞われることになるという点で、ネットワークに影響を及ぼす。
【００１６】
ＵＥが、バッテリ動作させられるといういくつかのＭ２Ｍアプリケーション、またはＵＥがネットワークと対話することが必要でないときに長い期間にわたってオンにされる場合に、関与する非常に多くのＵＥが、ＯＰＥＸに対する影響をもたらす可能性があるといういくつかのＭ２Ｍアプリケーションにおいて、消費電力を最小にすべき要件は、Ｍ２Ｍ  ＵＥのオン／オフ状態を制御すべき必要性を推進する。
【００１７】
したがって、マシン・タイプ通信のためにモバイル通信システムを最適化すべき必要性が存在する。とりわけ、ネットワークに対するそれらのアクセス、および／またはそれらの消費電力を管理することなど、ＭＴＣデバイスのオペレーションを管理すべき必要性が存在する。
【００１８】
一実施形態においては、ネットワークからのＭＴＣデバイスの取り外しのうちに、ＭＴＣデバイスのオペレーションの管理を実行することが提案される。
【００１９】
モバイル通信システムにおいては、取り外しは、取り付け（ａｔｔａｃｈ）のカウンターパート（ｃｏｕｎｔｅｒｐａｒｔ）であり、この取り付けは、今度は、モバイル端末、またはユーザ装置ＵＥが、ネットワークからのサービスを受信することができるようにするプロセスであることが、思い起こされる。例えば、ＥＰＳの場合には、取り外しプロシージャは、とりわけ３ＧＰＰ  ＴＳ２３．４０１において指定される。取り外しプロシージャは、例えば、ＥＰＳにおけるモビリティ管理エンティティ（Ｍｏｂｉｌｉｔｙ  Ｍａｎａｇｅｍｅｎｔ  Ｅｎｔｉｔｙ）ＭＭＥ（またはＳ４−ＳＧＳＮ）など、前記取り外しプロシージャを担当するネットワーク・エンティティを必要とする。例えば、ＥＰＳの場合に指定されるなどの取り外しプロシージャは、ＵＥにより開始される取り外しプロシージャ、またはＭＭＥ（またはＳ４−ＳＧＳＮ）により開始される取り外しプロシージャとすることができる。
【００２０】
以下で説明される本発明の実施形態においては、ＥＰＳの場合が、主として考えられることになる。しかしながら、本発明の実施形態は、そのような例だけには限定されない。例えば、本発明の実施形態は、特にＧＰＲＳ／ＵＭＴＳなど、他の３ＧＰＰベースのシステム、または非３ＧＰＰベースのシステムにも適用される。
【００２１】
以下で説明される本発明の実施形態は、「時間制御される」ＭＴＣ機能と一緒に使用されることが可能である。とりわけ３ＧＰＰ  ＴＳ２２．３６８において指定されるような時間制御された機能についてのいくつかの特徴が、以下で簡単に思い起こされる。
【００２２】
時間制御されるＭＴＣ機能は、定義された時間間隔中だけに、データを送信することを、または受信することを許容し、またこれらの定義された間隔以外の不必要な信号を回避することができるＭＴＣアプリケーションとともに使用するように意図される。時間制御されたＭＴＣ機能では、とりわけ以下のようになる。
−ネットワークは、定義されたアクセス認可時間間隔中におけるアクセス要求（例えば、ネットワークへの取り付け、またはデータ接続のセットアップ）を可能にする。
−ネットワークは、アクセス認可時間間隔を（例えば、毎日のトラフィック負荷、タイム・ゾーンなどの判断基準に基づいて）変更することができる。
−ネットワークは、（変更された）アクセス認可時間間隔をＭＴＣデバイスに対して伝える。
【００２３】
図３および４を参照すると、すなわち
−マシン・タイプ通信ＭＴＣのためにＭＴＣデバイスを装備させるユーザ装置ＵＥと、
−ＭＴＣユーザのためにサービスを実行する、Ｍ２Ｍ  Ａｐｐ  Ｓｖｒとして示されるＭ２Ｍアプリケーション・サーバと、
−例えば、進化型パケット・システムＥＰＳにおけるＭＭＥ（モビリティ管理エンティティ）など、モバイル通信システムにおいて取り外しプロシージャを担当するネットワーク・エンティティと、
−ＭＭＥがそれを介してＵＥと通信するｅＮｏｄｅＢと、
−Ｍ２Ｍアプリケーション・サーバをネットワークとインターフェースさせる、Ｍ２Ｍ制御装置として示されるエンティティと
が示されている。
【００２４】
図３に示される一実施形態においては、以下のステップが、提供される。
１．Ｍ２Ｍユーザが、Ｍ２Ｍデバイス（すなわち、ＵＥ）との通信が完了していると決定するときに、Ｍ２Ｍユーザ（例えば、Ｍ２Ｍアプリケーション・サーバ）は、ネットワークからの取り外しを行うようにＭ２Ｍデバイスに要求することができる。ＭＴＣユーザは、Ｍ２Ｍ制御装置に対するパワー・ダウン要求を含める（ｉｎｃｌｕｄｅ）ことができる。Ｍ２Ｍユーザはまた、Ｍ２Ｍサービスにアクセスすべき次の時間（ｎｅｘｔ  ｔｉｍｅ）、または「許可時間間隔（ｇｒａｎｔ  ｔｉｍｅ  ｉｎｔｅｒｖａｌ）」も含めることができる。
２．Ｍ２Ｍ制御装置は、Ｍ２ＭデバイスにサービスするＭＭＥを決定し、またそのＭＭＥに対して要求を転送する。
３．ＭＭＥが、取り外し要求（Ｄｅｔａｃｈ  ｒｅｑｕｅｓｔ）を受信するときに、ＭＭＥは、ＭＴＣデバイス（すなわち、ＵＥ）に対してその要求を転送することになる。具体的に示されてはいないが、ＭＭＥは、ＭＴＣデバイスに関連するベアラ・リソースの解放を（３ＧＰＰ  ＴＳ２３．４０１により）開始することにもなる。代わりに、Ｍ２Ｍデバイスが、ＭＴＣの時間制御された機能を有する場合、ネットワークは、Ｍ２Ｍデバイスの許可時間間隔が終了するときに、取り外し要求を開始することもできる。
４．ＭＴＣデバイスが、パワー・オフ指示を含む取り外し要求を受信するときに、ＭＴＣデバイスは、ベアラ・リソースを解放し、取り外し承諾（Ｄｅｔａｃｈ  Ａｃｃｅｐｔ）をＭＭＥに対して（ｅＮｏｄｅＢを経由して）送信し、また次のパワー・オン時刻までパワー・ダウンすることになる。
５．ＭＭＥは、Ｍ２Ｍ制御装置に対して応答を転送することになる。
６．Ｍ２Ｍ制御装置は、Ｍ２Ｍサーバ（例えば、Ｍ２Ｍアプリケーション・サーバ）に対して応答を転送することになる。
【００２５】
図４に示される一実施形態においては、以下のステップが提供される。
１．Ｍ２Ｍデバイス（すなわち）が、Ｍ２Ｍユーザ（例えば、Ｍ２Ｍアプリケーション・サーバ）との通信が完了していると決定するときに、Ｍ２Ｍデバイスは、ネットワークからの取り外しを行うように要求することができる。ＭＴＣデバイスは、ＭＭＥ／Ｍ２Ｍユーザに向かうパワー・ダウン要求を含めることができる。Ｍ２Ｍデバイスはまた、Ｍ２Ｍサービスにアクセスすべき好ましい次の時間、または「許可時間間隔」を含めることもできる。
２．ＭＭＥは、要求を受信する。ＭＭＥは、好ましい次の時間をネットワークによって好まれる時間（例えば、１日のうちの低使用時間帯）へと修正することができ、また要求をＭ２Ｍ制御装置に対して転送する。具体的に示されてはいないが、ＭＭＥはまた、ＭＴＣデバイスに関連するベアラ・リソースの解放を（３ＧＰＰ  ＴＳ２３．４０１により）開始することにもなる。
３．Ｍ２Ｍ制御装置が、取り外し要求を受信するときに、Ｍ２Ｍ制御装置は、Ｍ２Ｍユーザ（例えば、Ｍ２Ｍアプリケーション・サーバ）に対して要求を転送することになる。
４．Ｍ２Ｍユーザ（例えば、Ｍ２Ｍアプリケーション・サーバ）が、パワー・オフ指示と、次のパワー・オン時刻とを含む取り外し要求を受信するときに、ＭＴＣユーザは、好ましい次のパワー・オン時刻が提供され、または設定される場合に次のパワー・オン時刻を保持し、またパワー・ダウン肯定応答および次のパワー・オン時刻とともに、Ｍ２Ｍ制御装置に対して取り外し承諾を送信することができる。
５．Ｍ２Ｍ制御装置は、ＭＭＥに対して応答を転送することになる。
６．ＭＭＥは、Ｍ２Ｍデバイスに対して応答を転送することになる。次のパワー・オン時刻が含まれていた場合、Ｍ２Ｍデバイスは、次のパワー・オン時刻を保持し、リソースを解放し、またパワー・ダウンすることになる。
【００２６】
一実施形態においては、ネットワークが、デバイスの許可時間間隔の終わりに、ネットワークからＭＴＣデバイスの取り外しを強制し、さらに、取り外し命令は、パワー・ダウン・コマンド（例えば、低パワーのＭＴＣデバイスのための）、または（変更された）許可時間間隔を含むこともできることが、提案される。
【００２７】
一実施形態においては、ＭＴＣユーザが、デバイスの許可時間間隔の終了に先立ってＭＴＣデバイスとの通信を完了している場合に、ＭＴＣユーザは、ネットワークからの取り外しを行うようにＭＴＣデバイスに命令するようにネットワークに要求することができ、さらに、命令は、パワー・ダウン・コマンド（例えば、低パワーのＭＴＣデバイスのための）、または（変更された）許可時間間隔を含むこともできることが、提案される。
【００２８】
一実施形態においては、ＭＴＣデバイスが、デバイスの許可時間間隔の終わりに先立ってＭＴＣユーザとの通信を完了しており、またパワー・ダウンすることを望む場合に、ＭＴＣデバイスは、ネットワークからＭＴＣデバイスを取り外すようにネットワークに要求することができ、取り外し応答は、（変更された）許可時間間隔を含むことができることが、提案される。
【００２９】
本発明の実施形態は、パワーを節約する柔軟性のある方法を提供する。時間を含めることにより、そのような提供が使用され得る他の方法よりも優れた柔軟性が、提供される。パワー・ダウン・コマンドの使用により、デバイスは、それらが次のパワー・オン時刻までネットワークに接続される必要がないことを知ることができるようになり、またＭ２Ｍデバイスは、パワー／バッテリを節約することができるようになる。このパワー・ダウン期間中にネットワークの中のＭ２Ｍデバイスのリソースを保持する必要がなくなるので、ネットワークもまた、リソースを節約する。
【００３０】
一態様においては、モバイル通信システムにおいて、マシン・タイプ通信ＭＴＣデバイスのオペレーションを管理するための一方法が、提供されており、前記方法は、ネットワークからのＭＴＣデバイスの取り外しのうちに前記管理を実行するステップを備える。
【００３１】
一実施形態においては、前記方法は、ＭＴＣデバイスとの通信が完了していることを決定するとすぐに、Ｍ２Ｍアプリケーション・サーバが、ネットワークからの取り外しを行うようにＭＴＣデバイスに要求するステップを備える。
【００３２】
一実施形態においては、前記方法は、ＭＴＣデバイスとの通信が完了していることを決定するとすぐに、Ｍ２Ｍアプリケーション・サーバが、一方で前記Ｍ２Ｍアプリケーション・サーバとインターフェースし他方で取り外しプロシージャを担当するネットワーク・エンティティとインターフェースするＭ２Ｍ制御装置に対して、取り外し要求を送信するステップを備える。
【００３３】
一実施形態においては、前記方法は、ＭＴＣアプリケーション・サーバからの取り外し要求を受信するとすぐに、一方で前記ＭＴＣアプリケーション・サーバとインターフェースし他方で取り外しプロシージャを担当するネットワーク・エンティティとインターフェースするＭ２Ｍ制御装置が、取り外しプロシージャを担当する前記ネットワーク・エンティティに対して前記要求を転送するステップを備える。
【００３４】
一実施形態においては、前記方法は、一方で前記ＭＴＣアプリケーション・サーバとインターフェースし、他方で取り外しプロシージャを担当するネットワーク・エンティティとインターフェースするＭ２Ｍ制御装置からの取り外し要求を受信するとすぐに、取り外しプロシージャを担当するネットワーク・エンティティがＭＴＣデバイスに対して取り外し要求を送信するステップを備える。
【００３５】
一実施形態においては、前記取り外し要求は、パワー・ダウン要求を含んでいる。
【００３６】
一実施形態においては、前記取り外し要求は、Ｍ２Ｍサービスにアクセスすべき次の時間、または「許可時間間隔」を含んでいる。
【００３７】
一実施形態においては、前記方法は、パワー・ダウン要求を含む取り外し要求の、ＭＴＣデバイスによる受信のすぐ後に、前記ＭＴＣデバイスが、次のパワー・オン時刻までパワー・ダウンするステップを備える。
【００３８】
一実施形態においては、前記方法は、Ｍ２Ｍアプリケーション・サーバとの通信が完了していることを決定するとすぐに、ＭＴＣデバイスが、ネットワークからの取り外しを行うように要求するステップを備える。
【００３９】
一実施形態においては、前記方法は、Ｍ２Ｍアプリケーション・サーバとの通信が完了していることを決定するとすぐに、ＭＴＣデバイスが、取り外しプロシージャを担当するネットワーク・エンティティに対して取り外し要求を送信するステップを備える。
【００４０】
一実施形態においては、前記方法は、ＭＴＣデバイスからの取り外し要求の受信のすぐ後に、取り外しプロシージャを担当するネットワーク・エンティティが、一方でＭ２Ｍアプリケーション・サーバとインターフェースし他方で取り外しプロシージャを担当する前記ネットワーク・エンティティとインターフェースするＭ２Ｍ制御装置に対して、前記要求を転送するステップを備える。
【００４１】
一実施形態においては、前記方法は、取り外しプロシージャを担当するネットワーク・エンティティからの、取り外し要求の受信のすぐ後に、一方でＭ２Ｍアプリケーション・サーバとインターフェースし他方で取り外しプロシージャを担当する前記ネットワーク・エンティティとインターフェースするＭ２Ｍ制御装置が、前記Ｍ２Ｍアプリケーション・サーバに対して前記要求を転送するステップを備える。
【００４２】
一実施形態においては、前記取り外し要求は、パワー・ダウン要求を含んでいる。
【００４３】
一実施形態においては、前記取り外し要求は、Ｍ２Ｍサービスにアクセスすべき次の時間、または「許可時間間隔」を含んでいる。
【００４４】
一実施形態においては、前記方法は、取り外し要求の、Ｍ２Ｍアプリケーション・サーバによる受信のすぐ後に、前記Ｍ２Ｍアプリケーション・サーバが、取り外し承諾を送信するステップを備える。
【００４５】
一実施形態においては、前記方法は、ＭＴＣアプリケーション・サーバから取り外し承諾を受信するとすぐに、一方で前記ＭＴＣアプリケーション・サーバとインターフェースし他方で取り外しプロシージャを担当するネットワーク・エンティティとインターフェースするＭ２Ｍ制御装置が、取り外しプロシージャを担当する前記ネットワーク・エンティティに対して前記取り外し承諾を転送するステップを備える。
【００４６】
一実施形態においては、前記方法は、一方で前記ＭＴＣアプリケーション・サーバとインターフェースし他方で取り外しプロシージャを担当するネットワーク・エンティティとインターフェースするＭ２Ｍ制御装置から取り外し承諾を受信するとすぐに、取り外しプロシージャを担当するネットワーク・エンティティが、ＭＴＣデバイスに対して取り外し承諾を送信するステップを備える。
【００４７】
一実施形態においては、前記取り外し承諾は、パワー・ダウン要求を含んでいる。
【００４８】
一実施形態においては、前記取り外し承諾は、Ｍ２Ｍサービスにアクセスすべき次の時間、または「許可時間間隔」を含んでいる。
【００４９】
一実施形態においては、前記方法は、Ｍ２Ｍデバイスが、ＭＴＣの時間制御された機能を有することを決定するとすぐに、取り外しプロシージャを担当するネットワーク・エンティティが、ＭＴＣデバイスの許可時間間隔の終わりにネットワークからの取り外しを行うようにＭ２Ｍデバイスに要求するステップを備える。
【００５０】
一実施形態においては、前記方法は、取り外しプロシージャを担当する前記ネットワーク・エンティティが、前記ＭＴＣデバイスに対してパワー・ダウン要求を含む取り外し要求を送信するステップを備える。
【００５１】
一実施形態においては、前記方法は、取り外しプロシージャを担当する前記ネットワーク・エンティティが、前記ＭＴＣデバイスに対して、Ｍ２Ｍサービスにアクセスすべき次の時間または「許可時間間隔」を含む取り外し要求を送信するステップを備える。
【００５２】
一実施形態においては、前記方法は、ＭＴＣデバイスの許可時間間隔の終わりに、取り外しプロシージャを担当するネットワーク・エンティティが、ＭＴＣデバイスに対してパワー・ダウン・コマンドを含む取り外し命令を送信するステップを備える。
【００５３】
一実施形態においては、前記方法は、ＭＴＣデバイスの許可時間間隔の終わりに、取り外しプロシージャを担当するネットワーク・エンティティが、ＭＴＣデバイスに対して、許可時間間隔または変更された許可時間間隔を含む取り外し命令を送信するステップを備える。
【００５４】
一実施形態においては、前記方法は、ＭＴＣユーザが、ＭＴＣデバイスの許可時間間隔の終わりに先立ってＭＴＣデバイスとの通信を完了している場合、ＭＴＣユーザが、ネットワークからの取り外しを行うようにＭＴＣデバイスに命令するようにネットワークに要求するステップを備える。
【００５５】
一実施形態においては、前記要求は、パワー・ダウン・コマンドを含んでいる。
【００５６】
一実施形態においては、前記要求は、許可時間間隔、または変更された許可時間間隔を含んでいる。
【００５７】
一実施形態においては、前記方法は、ＭＴＣデバイスが、ＭＴＣデバイスの許可時間間隔の終わりに先立ってＭＴＣユーザとの通信を完了しており、またパワー・ダウンすることを望む場合、ＭＴＣデバイスが、ネットワークからＭＴＣデバイスを取り外すようにネットワークに要求するステップを備える。
【００５８】
一実施形態においては、前記方法は、ＭＴＣデバイスに対して、許可時間間隔または変更された許可時間間隔を含む取り外し応答を送信するステップを備える。
【００５９】
他の態様においては、そのような方法を実行するように構成されたエンティティが、提供されている。そのようなエンティティは、とりわけ、ＭＴＣデバイス（またはＭＴＣのために装備されたユーザ装置ＵＥ）と、Ｍ２Ｍアプリケーション・サーバと、取り外しプロシージャを担当するネットワーク・エンティティと、一方でＭ２Ｍアプリケーション・サーバとインターフェースし他方で取り外しプロシージャを担当するネットワーク・エンティティとインターフェースするＭ２Ｍ制御装置とを含むことができる。
【００６０】
上記で述べられたエンティティについての詳細な実装は、当業者にとっては、どのような特別な問題も引き起こすことはなく、またそれゆえに、当業者にとっては、もっと十分に開示されるべき必要性はない。
【００６１】
当業者なら、様々な上記の方法のステップが、プログラムされたコンピュータによって実行され得ることを簡単に認識するであろう。本明細書において、いくつかの実施形態は、マシン読取り可能、またはコンピュータ読取り可能であり、また命令のマシン実行可能なプログラム、またはコンピュータ実行可能なプログラムを符号化するプログラム・ストレージ・デバイス、例えば、デジタル・データ・ストレージ媒体を対象として含むようにも意図され、そこでは前記命令は、前記上記の方法のステップの一部または全部を実行する。プログラム・ストレージ・デバイスは、例えば、デジタル・メモリ、磁気ディスクや磁気テープなどの磁気ストレージ媒体、ハード・ドライブ、または光学的に読取り可能なデジタル・データ・ストレージ媒体とすることができる。実施形態は、上記の方法の前記ステップを実行するようにプログラムされるコンピュータを対象として含むようにも意図される。
【図１】
2013530596.tif 000003
【図２】
2013530596.tif 000004
【図３】
2013530596.tif 000005
【図４】
2013530596.tif 000006
【国際調査報告】
2013530596.tif 000007
2013530596.tif 000008